(57)【要約】【課題】定着部から発生する熱が作像部に伝達することを防止できる画像形成装置を提供する。【解決手段】画像形成装置１００は、作像部１１０、定着装置７０、ダクト１２０、ファン１３０、ハウジング１４０およびルーバー１５１〜１５４を備える。作像部１１０は、用紙搬送路８０において搬送されるシート上にトナー像を形成する。定着装置７０は、作像部１１０によってシート上に形成されたトナー像を定着する。ダクト１２０は、作像部１１０と定着装置７０との間に配置され、定着装置７０に対向する面に形成された開口部１２１〜１２３を有する。ファン１３０は、ダクト１２０内部に空気を流通させる。ハウジング１４０は、定着装置７０を収納し、ダクト１２０に対向する面に形成された開口部１４１〜１４３を有する。ルーバー１５１〜１５４は、ダクト１２０に設けられ、開口部１２１〜１２３から放出される空気を用紙搬送路８０に対して上方に送る。【選択図】図２
2013003326.tif 000002
【特許請求の範囲】
【請求項１】
搬送路において搬送されるシート上にトナー像を形成する作像部と、
前記作像部によって前記シート上に形成されたトナー像を定着する定着部と、
前記作像部と前記定着部との間に配置され、前記定着部に対向する面に形成された第１開口部を有するダクトと、
前記ダクト内部に空気を流通させる空気流通部と、
前記定着部を収納し、前記ダクトに対向する面に形成された第２開口部を有するハウジングと、
前記ダクトに設けられ、前記第１開口部から放出される空気を前記搬送路に対して上方に送るための第１ルーバーと、
を備える画像形成装置。
【請求項２】
前記ダクトは、前記作像部に対向する面が非断熱材料で構成され、他の面が断熱材料で構成される
請求項１に記載の画像形成装置。
【請求項３】
前記非断熱材料は、金属材料であり、
前記断熱材料は、樹脂材料である
請求項２に記載の画像形成装置。
【請求項４】
前記非断熱材料は、前記ダクト内部において放熱フィンが形成される
請求項２または３に記載の画像形成装置。
【請求項５】
前記第１ルーバーは、回動可能であり、
前記第１開口部を開閉するために前記第１ルーバーを回動する第１開閉回動部と、
前記作像部に配置され、前記作像部の温度を検出する温度検出部と、
前記温度検出部の検出温度に基づいて前記第１開閉回動部を制御する第１制御部と、
をさらに備え、
前記第１制御部は、前記温度検出部の検出温度が所定値以上であるときには前記第１ルーバーを開状態とするように前記第１開閉回動部を制御し、一方、前記温度検出部の検出温度が所定値未満であるときには前記第１ルーバーを閉状態とするように前記第１開閉回動部を制御する
請求項１〜４のいずれか１項に記載の画像形成装置。
【請求項６】
前記第１ルーバーは、回動可能であり、
前記第１開口部を開閉するために前記第１ルーバーを回動する第１開閉回動部と、
前記作像部に配置され、前記作像部の温度を検出する温度検出部と、
前記温度検出部の検出温度に基づいて前記第１開閉回動部を制御する第１制御部と、
をさらに備え、
前記第１制御部は、前記温度検出部の検出温度が所定値以上であるときには前記第１ルーバーを揺動状態とするように前記第１開閉回動部を制御し、一方、前記温度検出部の検出温度が所定値未満であるときには前記第１ルーバーを閉状態とするように前記第１開閉回動部を制御する
請求項１〜４のいずれか１項に記載の画像形成装置。
【請求項７】
前記ハウジングに回動可能に設けられ、前記第２開口部から放出される熱を前記搬送路に対して上方に送るための第２ルーバーと、
前記第２開口部を開閉するために前記第２ルーバーを回動する第２開閉回動部と、
画像形成装置本体の動作状態に基づいて前記第２開閉回動部を制御する第２制御部と、
をさらに備え、
前記第２制御部は、前記画像形成装置本体が画像形成状態であるときには前記第２ルーバーを開状態とするように前記第２開閉回動部を制御し、一方、前記画像形成装置本体が画像形成状態でないときには前記第２ルーバーを閉状態とするように前記第２開閉回動部を制御する
請求項１〜６のいずれか１項に記載の画像形成装置。
【請求項８】
前記ハウジングに回動可能に設けられ、前記第２開口部から放出される熱を前記搬送路に対して上方に送るための第２ルーバーと、
前記第２開口部を開閉するために前記第２ルーバーを回動する第２開閉回動部と、
画像形成装置本体の動作状態に基づいて前記第２開閉回動部を制御する第２制御部と、
をさらに備え、
前記第２制御部は、前記画像形成装置本体が画像形成状態であるときには前記第２ルーバーを揺動状態とするように前記第２開閉回動部を制御し、一方、前記画像形成装置本体が画像形成状態でないときには前記第２ルーバーを閉状態とするように前記第２開閉回動部を制御する
請求項１〜６のいずれか１項に記載の画像形成装置。
【請求項９】
前記第１ルーバーの開状態の自由端の高さは、前記第２ルーバーの開状態の自由端の高さと一致する
請求項７または８に記載の画像形成装置。
【発明の詳細な説明】
【技術分野】
【０００１】
本発明は、定着部の熱が作像部に伝達することを防止する画像形成装置に関する。
【背景技術】
【０００２】
近年、電子写真式のモノクロ画像形成装置について画像形成処理の高速化が進んでいる。具体的には、数年前に高速機（５０〜６０枚／分）とされていた画像形成装置はこの数年で中速機となり、近年では１００枚／分以上の処理能力を有する画像形成装置が高速機とされている。また、同様に、カラー画像形成装置においても画像形成処理の高速化が進んでいる。
【０００３】
そのため、画像形成装置に配設される定着部についても高速化に対応するため消費電力が増大傾向にある。定着部は、搬送されてきた用紙に形成された未定着の現像剤像を加熱ローラおよび加圧ローラで溶融・固着させる。加熱ローラは、内部にヒータランプ等の熱源を有し、加圧ローラとの間を通過する用紙を加熱する。
【０００４】
加熱ローラはトナーを溶融させるために所定の周面温度を維持する必要がある。ところが、加熱ローラ周面の熱は、用紙が通過する毎に用紙に奪われてしまう。そのため、単位時間当たりの用紙通過量が多いほど、つまり画像形成処理が高速化するほど、加熱ローラを加熱するためのヒータランプ等の発熱量を増加させなければならない。
【０００５】
しかし、当該発熱量を増加させるほど、定着部の周辺の温度も上昇していく。定着部は加熱ローラ等の発熱部分を覆う断熱構造が設けられておらず、輻射熱等によって定着部周辺に位置する部材や装置等を温め、種々の問題点を引き起こしている。
【０００６】
例えば、表面にトナー像を形成する感光体の周辺に熱が拡散した場合、感光体表面の温度の上昇で感光体の感度が変化し、画像品位にばらつきが生じてしまう問題がある。また、熱がトナーを収容する現像槽や感光体の表面に残留するトナーを除去・回収するクリーニングユニットに拡散した場合、熱によってトナーが軟化・溶融する。そのため、現像槽においては正常な帯電特性が得られない問題や、負荷増大からの攪拌部材または搬送部材のロック現象を招来する問題がある。
【０００７】
さらに、定着部から排出トレイまでの用紙搬送路に熱が拡散した場合、用紙搬送用のペーパーガイド等が加熱され、用紙搬送路上の用紙の定着トナーが再び軟化状態となってペーパーガイドや搬送ローラ等に付着して搬送ジャムを招来する問題がある。
【０００８】
複写機、プリンタ、ファクシミリ等の画像形成装置においては、高速化、デジタル化による機能向上に伴い、装置構成部品が増加している。その一方で、装置の大きさは、省スペース化の要請から、より小型化に向かい、相対的に部品間のスペースが減少している。これにより、装置内の発熱密度が増大し、熱対策がこれまで以上に重要となり、省スペースでの冷却が要求されている。
【０００９】
そこで、断熱性を有する第１の部分および断熱性を有さない第２の部分を備えるダクトによって、定着部と作像部との間を仕切り、作像部の温度上昇を抑制する構成が開示されている（例えば、特許文献１参照。）。
【先行技術文献】
【特許文献】
【００１０】
【特許文献１】特開２００６−０７２０３５号公報
【発明の概要】
【発明が解決しようとする課題】
【００１１】
しかしながら、特許文献１に開示されている技術は、ダクトの定着部に対向する側の部分が非断熱性の材料で形成されるため、ダクトの作像部に対向する側の部分を断熱性の材料で形成しても定着部から作像部へ伝達される熱の遮断効果が十分ではない。
【００１２】
また、当該ダクトには、定着部のハウジングに向けて空気を当てるための開口部が設けられており、当該ハウジングを空気で冷やすことで、作像部への熱の伝達を抑制している。
【００１３】
しかしながら、この構成では、当該ダクトから当該ハウジングに空気を当てることにより発生する気流がさまざまな方向に分散するため、この気流に乗った熱が作像部に到達し、作像部の温度上昇の原因になることがあった。
【００１４】
そこで、本発明の目的は、上記課題に鑑み、定着部から発生する熱が作像部に伝達することを防止できる画像形成装置を提供する。
【課題を解決するための手段】
【００１５】
本発明の画像形成装置は、作像部、定着部、ダクト、空気流通部、ハウジングおよび第１ルーバーを備える。
【００１６】
作像部は、搬送路において搬送されるシート上にトナー像を形成する。定着部は、作像部によってシート上に形成されたトナー像を定着する。ダクトは、作像部と定着部との間に配置され、定着部に対向する面に形成された第１開口部を有する。空気流通部は、ダクト内部に空気を流通させる。ハウジングは、定着部を収納し、ダクトに対向する面に形成された第２開口部を有する。第１ルーバーは、ダクトに設けられ、第１開口部から放出される空気を搬送路に対して上方に送る。
【００１７】
この構成では、ダクト内部に空気が流通するため、第１開口部から空気が放出される。また、第２開口部から定着部の熱が放出される。第１開口部から放出された空気は、第１ルーバーによって搬送路に対して上方に送られるため、上昇気流が発生する。したがって、第２開口部から放出された熱が上昇気流に乗って画像形成装置外に排出されるため、当該気流が作像部側に逆流することを抑制できるので、定着部の熱が作像部側に伝達することを防止できる。
【発明の効果】
【００１８】
本発明における画像形成装置は、定着部から発生する熱が作像部に伝達することを防止できる。
【図面の簡単な説明】
【００１９】
【図１】本発明の第１実施形態に係る画像形成装置の構成を示す図である。
【図２】本発明の第１実施形態に係る画像形成装置の構成の要部を示す図である。
【図３】本発明の第１実施形態に係る画像形成装置の部分拡大図である。
【図４】図３の変形例を示す図である。
【図５】本発明の第２実施形態に係る画像形成装置の制御系を示すブロック図である。
【図６】本発明の第２実施形態に係る画像形成装置の制御フローを示すフローチャートである。
【図７】第１ルーバーの閉状態を示す図である。
【図８】図６の変形例を示すフローチャートである。
【図９】第１ルーバーの揺動状態を示す図である。
【図１０】本発明の第３実施形態に係る画像形成装置の制御系を示すブロック図である。
【図１１】本発明の第３実施形態に係る画像形成装置の制御フローを示すフローチャートである。
【図１２】第２ルーバーの開状態を示す図である。
【図１３】第２ルーバーの閉状態を示す図である。
【図１４】図１１の変形例を示すフローチャートである。
【図１５】第２ルーバーの揺動状態を示す図である。
【発明を実施するための形態】
【００２０】
以下、本発明の実施形態に係る画像形成装置を、図面を参照しつつ詳細に説明する。
【００２１】
最初に、本発明の第１実施形態について説明する。
【００２２】
図１は、本発明の第１実施形態に係る画像形成装置１００の構成を示す図である。
【００２３】
画像形成装置１００は、感光体ドラム１１，１２，１３，１４、帯電装置２１，２２，２３，２４、露光装置３１，３２，３３，３４、現像装置４１，４２，４３，４４、転写装置５０、クリーニング装置６１，６２，６３，６４、定着装置７０、用紙搬送路８０、給紙トレイ９１および排紙トレイ９２，９３を備える。感光体ドラム１１〜１４、帯電装置２１〜２４、露光装置３１〜３４、現像装置４１〜４４、転写装置５０、クリーニング装置６１〜６４は、本発明の作像部に相当する（以下、適宜作像部１１０と記載する。）。
【００２４】
画像形成装置１００において扱われる画像データは、ブラック（Ｋ）、シアン（Ｃ）、マゼンタ（Ｍ）、イエロー（Ｙ）の各色を用いたカラー画像に応じたものである。従って、感光体ドラム１１〜１４、帯電装置２１〜２４、露光装置３１〜３４、現像装置４１〜４４およびクリーニング装置６１〜６４は各色に応じた画像を形成するようにそれぞれ４個ずつ設けられ、それぞれＫ、Ｃ、Ｍ、Ｙに設定され、４つの画像ステーションが構成されている。
【００２５】
感光体ドラム１１〜１４は、画像形成装置１００のほぼ中心部に配置されている。
【００２６】
帯電装置２１〜２４は、感光体ドラム１１〜１４の表面を所定の電位に均一に帯電させるための帯電手段であり、接触型のローラ型やブラシ型の帯電装置のほか図１に示すようにチャージャ型の帯電装置２１〜２４が用いられる。
【００２７】
露光装置３１〜３４は、発光素子をアレイ状に並べた例えばＥＬやＬＥＤ書き込みヘッドや、レーザ照射部および反射ミラーを備えた、レーザスキャニングユニット（ＬＳＵ）を用いる。そして帯電された感光体ドラム１１〜１４を入力される画像データに応じて露光することにより、その表面に画像データに応じた静電潜像を形成する機能を有するものである。
【００２８】
現像装置４１〜４４は、それぞれ感光体ドラム１１〜１４上に形成された静電潜像をＫ、Ｃ、Ｍ、Ｙのトナーにより顕像化するものである。
【００２９】
クリーニング装置６１〜６４は、感光体ドラム１１〜１４上の転写残トナーを除去・回収する。
【００３０】
感光体ドラム１１〜１４の下方に配置されている転写装置５０は、転写ローラ５１，５２，５３，５４、転写ベルト５５、転写ベルト駆動ローラ５６、転写ベルトテンションローラ５７、転写ベルト従動ローラ５８Ａ，５８Ｂおよび転写ベルトクリーニングユニット５９を備えている。
【００３１】
転写ベルト駆動ローラ５６、転写ベルトテンションローラ５７、転写ローラ５１〜５４および転写ベルト従動ローラ５８Ａ，５８Ｂは、転写ベルト５５を張架し、転写ベルト５５を矢印Ａ方向に回転駆動させるものである。
【００３２】
転写ローラ５１〜５４は、感光体ドラム１１〜１４のトナー像を、転写ベルト５５上に吸着されて搬送されるシートに転写するための転写バイアスを与えるものである。
【００３３】
転写ベルト５５は、感光体ドラム１１〜１４に接触するように設けられている。そして、感光体ドラム１１〜１４に形成された各色のトナー像をシートに順次的に重ねて転写することによって、カラーのトナー像を形成する機能を有している。この転写ベルト５５は、厚さ１００μｍ〜１５０μｍ程度のフィルムを用いて無端状に形成されている。
【００３４】
感光体ドラム１１〜１４からシートへのトナー像の転写は、転写ベルト５５の裏側に接触している転写ローラ５１〜５４によって行われる。転写ローラ５１〜５４には、トナー像を転写するために高電圧の転写バイアス（トナーの帯電極性（−）とは逆極性の（＋）の高電圧）が印加されている。
【００３５】
転写ローラ５１〜５４は、直径８〜１０ｍｍの金属（例えばステンレス）軸をベースとし、その表面は、導電性の弾性材（例えばＥＰＤＭ、発泡ウレタン）により覆われているローラである。この導電性の弾性材により、シートに対して均一に高電圧を印加することができる。本実施例では転写電極としてローラを使用しているが、それ以外にブラシなども用いられる。
【００３６】
また、感光体ドラム１１〜１４との接触により転写ベルト５５に付着したトナーは、シートの裏面を汚す原因となるため、転写ベルトクリーニングユニット５９によって除去・回収される。転写ベルトクリーニングユニット５９には、転写ベルト５５に接触する例えばクリーニング部材としてクリーニングブレードが備えられており、クリーニングブレードが接触する転写ベルト５５は、裏側から転写ベルト従動ローラ５８Ｂによって支持されている。
【００３７】
給紙トレイ９１は、画像形成に使用するシートを蓄積しておくためのトレイであり、画像形成装置１００の画像形成部の下側に設けられている。また、画像形成装置１００の上部に設けられている排紙トレイ９２は、画像形成済みのシートをフェイスダウンで載置するためのトレイであり、画像形成装置１００の側部に設けられている排紙トレイ９３は、画像形成済みのシートをフェイスアップで載置するためのトレイである。
【００３８】
また、画像形成装置１００には、給紙トレイ９１のシートを転写装置５０や定着装置７０を経由させて排紙トレイ９２に送るためのＳ字状の用紙搬送路８０が設けられている。さらに、給紙トレイ９１から排紙トレイ９２および排紙トレイ９３までの用紙搬送路８０の近傍には、ピックアップローラ８１、レジストローラ８２、定着装置７０、搬送方向切り換えガイド８３および搬送ローラ８４が配されている。
【００３９】
搬送ローラ８４は、シートの搬送を促進・補助するための小型のローラであり、用紙搬送路８０に沿って複数設けられている。
【００４０】
ピックアップローラ８１は、給紙トレイ９１の端部に備えられ、給紙トレイ９１から、シートを１枚ずつ用紙搬送路８０に供給する呼び込みローラである。
【００４１】
レジストローラ８２は、用紙搬送路８０に搬送されているシートをいったん保持するものである。そして、感光体ドラム１１〜１４上のトナー像をシートに良好に多重転写できるように、感光体ドラム１１〜１４の回転にあわせて、シートをタイミングよく搬送する機能を有している。レジストローラ８２は、ラインセンサ８５からの検知信号に基づいて、感光体ドラム１１〜１４上のトナー像の先端をシートにおける画像形成範囲の先端に合わせるようにシートを搬送するように設定されている。
【００４２】
定着装置７０は、加熱ローラ７１、加圧ローラ７２を備えている。加熱ローラ７１、加圧ローラ７２は、シートを挟んで回転するようになっている。加熱ローラ７１は、図示しない温度検出器からの信号に基づいて図示しない制御部によって所定の定着温度になるように設定されており、加圧ローラ７２とともにシートを熱圧着することにより、シートに転写された多色トナー像を溶融・混合・圧接し、シートに対して熱定着させる機能を有している。
【００４３】
作像部１１０と定着装置７０との間には、内部に空気を流通させたダクト１２０が配置されている。ダクト１２０の構成等については後述する。
【００４４】
多色トナー像の定着後のシートは、搬送ローラ８４によって排紙トレイ９２上に排紙されるようになっている。
【００４５】
搬送方向切り換えガイド８３は、実線で示す状態から破線で示す状態に揺動することにより、用紙搬送路８０の途中からシートを分離し排紙トレイ９３にシートを排出できるようになっている。実線で示す状態の場合には、用紙搬送路８０を通り、上部の排紙トレイ９２に排出される。
【００４６】
図２は、本発明の第１実施形態に係る画像形成装置１００の構成の要部を示す図である。
【００４７】
画像形成装置１００は、作像部１１０、定着装置７０、ダクト１２０、ファン１３０、ハウジング１４０およびルーバー１５１，１５２，１５３，１５４を備える。ファン１３０は、本発明の空気流通部に相当する。ルーバー１５１〜１５４は、本発明の第１ルーバーに相当する。
【００４８】
作像部１１０は、用紙搬送路８０において搬送されるシート上にトナー像を形成する。定着装置７０は、作像部１１０によってシート上に形成されたトナー像を定着する。ダクト１２０は、作像部１１０と定着装置７０との間に配置され、定着装置７０に対向する面に形成された開口部１２１，１２２，１２３を有する。開口部１２１〜１２３は、本発明の第１開口部に相当する。
【００４９】
ファン１３０は、ダクト１２０内部に空気を流通させる。ハウジング１４０は、定着装置７０を収納し、ダクト１２０に対向する面に形成された開口部１４１，１４２，１４３を有する。開口部１４１〜１４３は、本発明の第２開口部に相当する。ルーバー１５１〜１５４は、ダクト１２０に設けられ、開口部１２１〜１２３から放出される空気を用紙搬送路８０に対して上方に送る。
【００５０】
ダクト１２０は、定着装置７０から発生する熱が作像部１１０に伝達することを防止するための壁の機能を有するため、その水平方向の長さは、作像部１１０および定着装置７０の水平方向の長さを超えることが好ましい。
【００５１】
ファン１３０は、ダクト１２０内部に空気を流通させればよいため、吸引式であっても送風式であってもかまわない。また、ファン１３０は、図２においてはダクト１２０の上部に配置されているが、例えば、画像形成装置１００の背面側、すなわち、ダクト１２０の背面側に配置されていてもよい。
【００５２】
この構成では、ダクト１２０内部に空気が流通するため、開口部１２１〜１２３から空気が放出される。また、開口部１４１〜１４３から定着装置７０の熱が放出される。開口部１２１〜１２３から放出された空気は、ルーバー１５１〜１５４によって用紙搬送路８０に対して上方に送られるため、上昇気流が発生する。したがって、開口部１４１〜１４３から放出された熱が上昇気流に乗って画像形成装置１００外に排出されるため、当該気流が作像部１１０側に逆流することを抑制できるので、定着装置７０の熱が作像部１１０側に伝達することを防止できる。
【００５３】
図３は、本発明の第１実施形態に係る画像形成装置１００の部分拡大図である。
【００５４】
ダクト１２０は、作像部１１０に対向する面１２４が非断熱材料で構成され、他の面１２５が断熱材料で構成されることが好ましい。
【００５５】
面１２４は、開口部１４１〜１４３から放出された熱を断熱する効果があるため、定着装置７０の熱が作像部１１０側に伝達することを防止できる。また、面１２５は、作像部１１０側の熱を吸熱する効果があるため、作像部１１０側が温度上昇することを抑制できる。なお、面１２５に吸熱された熱は、ダクト１２０内部に流通する空気に乗って開口部１２１〜１２３から放出し、上昇気流として画像形成装置１００外に排出される。
【００５６】
また、面１２４は、金属材料から構成され、面１２５は、樹脂材料から構成されることが好ましい。
【００５７】
この構成を採用することにより、簡単な構成で作像部１１０側が温度上昇することを抑制できる。
【００５８】
図４は、図３の変形例を示す図である。
【００５９】
面１２４は、ダクト１２０内部において放熱フィン１２４Ａ，１２４Ｂ，１２４Ｃ，１２４Ｄ，１２４Ｅ，１２４Ｆが形成されることが好ましい。
【００６０】
この構成により、ダクト１２０内部において面１２４の表面積が増大するため、面１２４が吸熱した熱がダクト１２０内部に放出されやすい効果を奏する。したがって、作像部１１０側が温度上昇することをさらに抑制できる。
【００６１】
次に、本発明の第２実施形態について説明する。なお、本実施形態以降の各実施形態においては、第１実施形態と重複する部分の説明は省略する。
【００６２】
図５は、本発明の第２実施形態に係る画像形成装置１００の制御系を示すブロック図である。
【００６３】
画像形成装置１００は、開閉回動部１６０、温度検出部１７０、ＣＰＵ１８０、ＲＯＭ１８１、ＲＡＭ１８２およびルーバー１５１〜１５４を備える。開閉回動部１６０は、本発明の第１開閉回動部に相当する。ＣＰＵ１８０は、本発明の第１制御部に相当する。
【００６４】
ルーバー１５１〜１５４は、回動可能である。開閉回動部１６０は、開口部１２１〜１２３を開閉するためにルーバー１５１〜１５４を回動する。温度検出部１７０は、作像部１１０側に配置され、作像部１１０の温度を検出する。ＣＰＵ１８０は、温度検出部１７０の検出温度に基づいて開閉回動部１６０を制御する。また、ＣＰＵ１８０は、ＲＯＭ１８１に記憶された制御プログラムを読みだして実行し、各部を総括的に制御する。ＲＡＭ１８２は、ＣＰＵ１８０のワーキングエリアとして活用される。
【００６５】
図６は、本発明の第２実施形態に係る画像形成装置１００の制御フローを示すフローチャートである。
【００６６】
ＣＰＵ１８０は、温度検出部１７０の検出温度が所定値以上であるときには（Ｓ１０のＹ）、ルーバー１５１〜１５４を開状態とするように（図４参照。）開閉回動部１６０を制御し（Ｓ２０）、Ｓ１０の制御に戻る。また、ＣＰＵ１８０は、温度検出部１７０の検出温度が所定値未満であるときには（Ｓ１０のＮ）、ルーバー１５１〜１５４を閉状態とするように（図７参照。）開閉回動部１６０を制御し（Ｓ３０）、Ｓ１０の制御に戻る。
【００６７】
ルーバー１５１〜１５４を開状態とすれば、ダクト１２０とハウジング１４０との間に上昇気流が発生するため、定着装置７０の熱を開口部１４１〜１４３から効率よく排出することができるので、作像部１１０側の温度上昇を抑制することができる。また、ルーバー１５１〜１５４を閉状態とすれば、ダクト１２０とハウジング１４０との間に上昇気流が発生しないため、定着装置７０の熱がハウジング１４０内部に保持されやすい状態となるので、定着装置７０を適切な温度に維持することができる。
【００６８】
図８は、図６の変形例を示すフローチャートである。
【００６９】
ＣＰＵ１８０は、温度検出部１７０の検出温度が所定値以上であるときには（Ｓ１１０のＹ）、ルーバー１５１〜１５４を揺動状態とするように（図９参照。）開閉回動部１６０を制御し（Ｓ１２０）、Ｓ１１０の制御に戻る。また、ＣＰＵ１８０は、温度検出部１７０の検出温度が所定値未満であるときには（Ｓ１１０のＮ）、ルーバー１５１〜１５４を閉状態とするように（図７参照。）開閉回動部１６０を制御し（Ｓ１３０）、Ｓ１１０の制御に戻る。なお、揺動状態とは、図９に示すように、ルーバー１５１〜１５４が所定角度範囲を往復運動する状態のことである。
【００７０】
ルーバー１５１〜１５４を揺動状態とすれば、ダクト１２０とハウジング１４０との間に上昇気流が発生することを促進することができるため、定着装置７０の熱を開口部１４１〜１４３から効率よく排出することができるので、作像部１１０側の温度上昇を抑制することができる。また、ルーバー１５１〜１５４を閉状態とすれば、ダクト１２０とハウジング１４０との間に上昇気流が発生しないため、定着装置７０の熱がハウジング１４０内部に保持されやすい状態となるので、定着装置７０を適切な温度に維持することができる。
【００７１】
次に、本発明の第３実施形態について説明する。
【００７２】
図１０は、本発明の第３実施形態に係る画像形成装置１００の制御系を示すブロック図である。
【００７３】
画像形成装置１００は、ルーバー２１１，２１２，２１３，２１４、開閉回動部２２０、ＣＰＵ２３０、ＲＯＭ２３１およびＲＡＭ２３２を備える。ルーバー２１１〜２１４は、本発明の第２ルーバーに相当する。開閉回動部２２０は、本発明の第２開閉回動部に相当する。ＣＰＵ２３０は、本発明の第２制御部に相当する。
【００７４】
ルーバー２１１〜２１４は、ハウジング１４０に回動可能に設けられ、開口部１４１〜１４３から放出される熱を用紙搬送路８０に対して上方に送る。開閉回動部２２０は、開口部１４１〜１４３を開閉するためにルーバー２１１〜２１４を回動する。ＣＰＵ２３０は、画像形成装置１００の動作状態に基づいて開閉回動部２２０を制御する。また、ＣＰＵ２３０は、ＲＯＭ２３１に記憶された制御プログラムを読みだして実行し、各部を総括的に制御する。ＲＡＭ２３２は、ＣＰＵ２３０のワーキングエリアとして活用される。
【００７５】
図１１は、本発明の第３実施形態に係る画像形成装置１００の制御フローを示すフローチャートである。
【００７６】
ＣＰＵ２３０は、画像形成装置１００が画像形成状態であるときには（Ｓ２１０のＹ）、ルーバー２１１〜２１４を開状態とするように（図１２参照。）開閉回動部２２０を制御し（Ｓ２２０）、Ｓ２１０の制御に戻る。また、ＣＰＵ２３０は、画像形成装置１００が画像形成状態でないときには（Ｓ２１０のＮ）、ルーバー２１１〜２１４を閉状態とするように（図１３参照。）開閉回動部２２０を制御し（Ｓ２３０）、Ｓ２１０の制御に戻る。
【００７７】
ルーバー２１１〜２１４を開状態とすれば、定着装置７０の熱が開口部１４１〜１４３から排出されるため、当該熱がダクト１２０とハウジング１４０との間に発生する上昇気流に乗って画像形成装置１００外に排出されるので、作像部１１０側の温度上昇を抑制することができる。また、ルーバー２１１〜２１４を閉状態とすれば、定着装置７０の熱が開口部１４１〜１４３から排出されないため、定着装置７０の熱がハウジング１４０内部に保持されやすい状態となるので、定着装置７０を適切な温度に維持することができる。
【００７８】
図１４は、図１１の変形例を示すフローチャートである。
【００７９】
ＣＰＵ２３０は、画像形成装置１００が画像形成状態であるときには（Ｓ３１０のＹ）、ルーバー２１１〜２１４を揺動状態とするように（図１５参照。）開閉回動部２２０を制御し（Ｓ３２０）、Ｓ３１０の制御に戻る。また、ＣＰＵ２３０は、画像形成装置１００が画像形成状態でないときには（Ｓ３１０のＮ）、ルーバー２１１〜２１４を閉状態とするように（図１３参照。）開閉回動部２２０を制御し（Ｓ３３０）、Ｓ３１０の制御に戻る。
【００８０】
ルーバー２１１〜２１４を揺動状態とすれば、定着装置７０の熱が開口部１４１〜１４３から排出されることが促進されるため、当該熱がダクト１２０とハウジング１４０との間に発生する上昇気流に乗って画像形成装置１００外に排出されるので、作像部１１０側の温度上昇を抑制することができる。また、ルーバー２１１〜２１４を閉状態とすれば、定着装置７０の熱が開口部１４１〜１４３から排出されないため、定着装置７０の熱がハウジング１４０内部に保持されやすい状態となるので、定着装置７０を適切な温度に維持することができる。
【００８１】
また、図１２に示すように、ルーバー１５１〜１５４の開状態の自由端の高さは、ルーバー２１１〜２１４の開状態の自由端の高さとそれぞれ一致することが好ましい。
【００８２】
この構成により、上昇気流が渦巻くことがないので、定着装置７０の熱が作像部１１０側に伝達することがないため、作像部１１０側の温度上昇を抑制することができる。
【００８３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００８４】
７０  −定着装置
８０  −用紙搬送路
１００  −画像形成装置
１１０  −作像部
１２０  −ダクト
１２１  −開口部
１２２  −開口部
１２３  −開口部
１２４  −面
１２４Ａ−放熱フィン
１２４Ｂ−放熱フィン
１２４Ｃ−放熱フィン
１２４Ｄ−放熱フィン
１２４Ｅ−放熱フィン
１２４Ｆ−放熱フィン
１２５  −面
１３０  −ファン
１４０  −ハウジング
１４１  −開口部
１４２  −開口部
１４３  −開口部
１５１  −ルーバー
１５２  −ルーバー
１５３  −ルーバー
１５４  −ルーバー
１６０  −開閉回動部
１７０  −温度検出部
１８０  −ＣＰＵ
２１１  −ルーバー
２１２  −ルーバー
２１３  −ルーバー
２１４  −ルーバー
２２０  −開閉回動部
２３０  −ＣＰＵ
【図１】
2013003326.tif 000003
【図２】
2013003326.tif 000004
【図３】
2013003326.tif 000005
【図４】
2013003326.tif 000006
【図５】
2013003326.tif 000007
【図６】
2013003326.tif 000008
【図７】
2013003326.tif 000009
【図８】
2013003326.tif 000010
【図９】
2013003326.tif 000011
【図１０】
2013003326.tif 000012
【図１１】
2013003326.tif 000013
【図１２】
2013003326.tif 000014
【図１３】
2013003326.tif 000015
【図１４】
2013003326.tif 000016
【図１５】
2013003326.tif 000017